(57)【要約】【課題】  被包装物の残量が少なくなっても蓋シートを容易に開閉でき、且つ残量が少なくなった被包装物を容易に取り出すことができる包装体を提供する。【解決手段】  取出し口３１を有する上面部３と前記上面部３の両側から延設された一対の側面部４，４とを有し且つ柔軟なシートから形成された軟包袋２と、前記軟包袋２内に収納された被包装物６と、前記取出し口３１を覆うように前記上面部３に貼り付けられた上面保形シート７であって、前記取出し口３１を開閉可能な柔軟な蓋シート７１を含む上面保形シート７と、を備える包装体１において、前記一対の側面部４，４には、前記上面保形シート７とは独立した側面保形シート８がそれぞれ貼り付けられており、前記上面保形シート７の縦縁７ａと側面保形シート８の縦縁８ａの間に、前記軟包袋２を形成するシートからなる領域が確保されている。【選択図】  図１
2020114749.tif 000002
【特許請求の範囲】
【請求項１】
取出し口を有する上面部と前記上面部の両側から延設された一対の側面部とを有し、且つ柔軟なシートから形成された軟包袋と、
前記軟包袋内に収納された被包装物と、
前記取出し口を覆うように前記上面部に貼り付けられた上面保形シートであって、前記取出し口を開閉可能な柔軟な蓋シートを含む上面保形シートと、を備える包装体において、
前記一対の側面部には、前記上面保形シートとは独立した側面保形シートがそれぞれ貼り付けられており、
前記上面保形シートの縦縁と側面保形シートの縦縁の間に、前記軟包袋を形成するシートからなる領域が確保されている、包装体。
【請求項２】
前記側面保形シートの面内に、縦方向に延びる折り罫線が形成されている、請求項１に記載の包装体。
【発明の詳細な説明】
【技術分野】
【０００１】
本発明は、ウェットシートなどの被包装物を収納した軟包袋の取出し口を開閉する柔軟な蓋シートが取り付けられた包装体に関する。
【背景技術】
【０００２】
ウェットシートが包装された包装体として、取出し口を有する上面部を有する中空直方体状に形成された軟包袋であって柔軟なシートから形成された軟包袋と、前記取出し口を覆うように前記上面部に剥離可能且つ再貼付可能に貼付された柔軟な蓋シートと、を有する包装体が知られている（例えば、特許文献１）。かかる包装体からウェットシートを取り出す際には、蓋シートの一端部を捲り上げ、ウェットシートを取り出し、その後、蓋シートを軟包袋の上面部に再貼付する。
また、特許文献２には、剛性蓋及び蓋を保持する保持枠からなる樹脂成形品を使用した包装体が開示されている。
【先行技術文献】
【特許文献】
【０００３】
【特許文献１】特開２０１３−１９３７９１号公報
【特許文献２】特開２０１８−１４０８４１号公報
【発明の概要】
【０００４】
しかしながら、特許文献１の包装体にあっては、ウェットシートを何回か取り出して被包装物の残量が減ると（被包装物全体の厚みが小さくなると）、柔軟なシートから形成された軟包袋が型崩れし、蓋シートにて取出し口を密封状に閉塞できないことが多い。
この点、軟包袋に代えて、型崩れしない樹脂成形品を使用することも考えられるが、そうすると、被包装物の残量が減ってきた際に、上面部と被包装物の間に大きな空間を生じるので、被包装物を取り出し難くなる。さらに、型崩れしない樹脂成形品を用いると、被包装物の残量が減ってきた際に、包装体の厚みを小さくできないという問題点もある。
また、蓋シートに代えて、特許文献２のような剛性蓋の樹脂成形品を使用することも考えられるが、このような剛性蓋は、硬くて扱い難い上、製造コストが高いため、安価な包装体を提供できない。
【発明が解決しようとする課題】
【０００５】
本発明の第１の目的は、被包装物の残量が少なくなっても蓋シートを容易に開閉でき、且つ残量が少なくなった被包装物を容易に取り出すことができる包装体を提供することである。
本発明の第２の目的は、前記目的に加えて、被包装物の残量が少なくなった際に軟包袋をコンパクトに折り畳むことができる包装体を提供することである。
【課題を解決するための手段】
【０００６】
本発明者らは、上述のように、被包装物の残量が少なくなった場合に、蓋シートにて取出し口を密封状に閉塞できない原因が、軟包袋の型崩れによって軟包袋の上面部が波打ち、上面部が略平坦状にならない点にあることに着目した。そして、包装物の残量が少なくなった際には、軟包袋の上面部を少なくなった被包装物に追従させてその平坦性を保つことができるようにして、本発明を完成した。
【０００７】
本発明は、取出し口を有する上面部と前記上面部の両側から延設された一対の側面部とを有し、且つ柔軟なシートから形成された軟包袋と、前記軟包袋内に収納された被包装物と、前記取出し口を覆うように前記上面部に貼り付けられた上面保形シートであって、前記取出し口を開閉可能な柔軟な蓋シートを含む上面保形シートと、を備える包装体において、前記一対の側面部には、前記上面保形シートとは独立した側面保形シートがそれぞれ貼り付けられており、前記上面保形シートの縦縁と側面保形シートの縦縁の間に、前記軟包袋を形成するシートからなる領域が確保されている。
【０００８】
本発明の好ましい包装体は、前記側面保形シートの面内に、縦方向に延びる折り罫線が形成されている。
【発明の効果】
【０００９】
本発明の包装体は、被包装物の残量が少なくなっても蓋シートを容易に開閉でき、被包装物を容易に取り出すことができる。
本発明の好ましい包装体は、被包装物の残量が少なくなったときに軟包袋をコンパクトに折り畳むことができる。
【図面の簡単な説明】
【００１０】
【図１】第１実施形態の包装体の斜視図。
【図２】同包装体を上方から見た平面図。
【図３】同包装体を一方の側方から見た左側面図。
【図４】同包装体を他方の側方から見た右側面図。
【図５】図２のＶ−Ｖ線で切断した断面図。
【図６】図２のＶＩ−ＶＩ線で切断した断面図。
【図７】同包装体の蓋シートを開封したときの状態を示す斜視図。
【図８】軟包袋の展開図（上面保形シート及び一対の側面保形シートが貼り付けられた柔軟なシートの平面図）。
【図９】被包装物が少なくなったときの包装体の断面図。
【図１０】軟包袋の上面部の内面を被包装物に沿って密着するように下方に押し下げたときの包装体の斜視図。
【図１１】図１０のＸＩ−ＸＩ線で切断した断面図。
【図１２】側面保形シートを折り罫線に沿って折り曲げたときの包装体の断面図。
【図１３】第２実施形態の第１例の包装体を上方から見た平面図。
【図１４】図１３のＸＩＶ−ＸＩＶ線で切断した断面図。
【図１５】第２実施形態の第２例の包装体を上方から見た平面図。
【図１６】第２実施形態の第３例の包装体を上方から見た平面図。
【図１７】第３実施形態の包装体の斜視図。
【図１８】同包装体を一方の側方から見た左側面図。
【図１９】図１７のＸＩＸ−ＸＩＸ線で切断した断面図。
【図２０】（ａ）は、第４実施形態の第１例の包装体を一方の側方から見た左側面図、（ｂ）は、第４実施形態の第２例の包装体を一方の側方から見た左側面図。
【図２１】（ａ）は、第４実施形態の第３例の包装体を一方の側方から見た左側面図、（ｂ）は、第４実施形態の第４例の包装体を一方の側方から見た左側面図。
【図２２】第４実施形態の第５例の包装体の斜視図。
【図２３】同包装体を上方から見た平面図。
【図２４】同包装体を塞面部側から見た正面図。
【図２５】第５実施形態の包装体の平面図。
【図２６】同包装体を一方の側方から見た左側面図。
【発明を実施するための形態】
【００１１】
以下、本発明について、図面を参照しつつ説明する。
本明細書において、「上方」や「上面」などの「上」は、包装体の下面部を載置面上（平坦面上）に載置した状態を基準にして、その載置面とは離れる側を指し、「下方」や「下面」などの「下」は、その反対側（載置面に近づく側）を指す。また、本明細書において、「縦方向」、「横方向」及び「厚み方向」の３つの方向は、それぞれ互いに直交する方向である。「縦方向」及び「横方向」は、包装体を上方から下方に向かって見たときの平面図（図２など）において、その面内に存在し且つ互いに直交する。「厚み方向」は、包装体を側方から見たときの側面図（図３など）において、その面内に存在し、縦方向及び横方向の何れにも直交する。
本明細書において、「下限値ＸＸＸ〜上限値ＹＹＹ」で表される数値範囲は、下限値ＸＸＸ以上上限値ＹＹＹ以下を意味する。前記数値範囲が別個に複数記載されている場合、任意の下限値と任意の上限値を選択し、「任意の下限値〜任意の上限値」を設定できるものとする。
【００１２】
［第１実施形態］
図１乃至図６において、本発明の包装体１は、取出し口３１を有する上面部３と上面部３の両側から延設された一対の側面部４，４とを有する軟包袋２と、軟包袋２内に収納された被包装物６と、前記取出し口３１を覆うように前記上面部３に貼り付けられた上面保形シート７と、前記一対の側面部４，４に貼り付けられた一対の側面保形シート８，８と、を有する。以下、一対の側面部４，４の一方を「第１側面部４」、他方を「第２側面部４」、両者を総称して「側面部４」という。
前記上面保形シート７と側面保形シート８は、独立しており、上面保形シート７の縦縁７ａと側面保形シート８の縦縁８ａが接触しないで離れた状態で、上面保形シート７が上面部３に貼り付けられ且つ側面保形シート８が一対の側面部４，４にそれぞれ貼り付けられている。このため、上面保形シート７の縦縁７ａと側面保形シート８の縦縁８ａの間に、前記軟包袋２を形成するシートからなる領域２９が確保されている。
本明細書において、「縦縁」は、縦方向に沿って延びる縁をいい、「横縁」は、横方向に沿って延びる縁をいう。
【００１３】
＜被包装物＞
包装体１の包装対象である被包装物６は、特に限定されず、ウェットシートなどの液体含有枚葉品やティッシュペーパーなどの液体非含有枚葉品などの枚葉品、菓子などの食品、ネジなどの機械部品、クリップなどの文房具類、医薬部外品などが挙げられる。
前記液体含有枚葉品としては、含浸させる液体及びその液体を含浸させる枚葉状の支持体の材質に応じて、様々なものが知られており、例えば、お手拭き、掃除用シート、ふきん、おしり拭き、洗顔シート、ボディシート、化粧落としシートなどが挙げられる。
前記液体非含有枚葉品としては、例えば、ティッシュペーパー、ナプキン、油取りシート、簡易マスクなどが挙げられる。
これらの枚葉品は、通常、その複数枚が上下に積み重なって１つの被包装物６を成しており、その状態で軟包袋２内に収納されている。使用時には、枚葉品が軟包袋２の取出し口３１から１枚ずつ又は複数枚同時に取り出される。
なお、図示例では、積層された複数の枚葉品６１からなる被包装物６が収納された包装体１を例示している。ウェットシートを包装した包装体１は、特に、ウェットシート包装体とも呼ばれる。
このような複数の枚葉品６１の積層物からなる被包装物６は、全体として略直方体状を成している。被包装物６は、後述する軟包袋２の内部に封入され、柔軟な軟包袋２の立体形状を内側から保持している。
【００１４】
＜軟包袋＞
軟包袋２は、柔軟なシートから形成されている。
本明細書において、「柔軟」は、人力で簡単に変形するほどに柔らかい性質をいい、「柔軟なシート」は、人力で簡単に湾曲させることができるシートをいう。
前記柔軟なシートの材質は、特に限定されず、従来公知のものを用いることができ、例えば、１層の合成樹脂シート、２層以上の合成樹脂シートが積層された積層シート、又は、１層若しくは２層以上の合成樹脂シートと金属蒸着膜或いは不織布などの非合成樹脂シートが積層された積層シートなどを用いることができる。また、熱シールにて軟包袋２を形成できることから、前記シートは、その内面層にシーラント性を有することが好ましい。例えば、シートは、ポリアミドフィルムなどの非シーラント性シートを外面層とし且つポリエチレンフィルムなどのシーラント性シートを内面層とする積層シートを用いることができる。特に、液体含有枚葉品６１を収納する場合には、ガスバリア性を有するシートとシーラント性シートとを有する積層シートを用いることが好ましい。前記ガスバリア性を有するシートとしては、アルミニウムを蒸着した合成樹脂シート（例えばアルミ蒸着ポリエチレンテレフタレートフィルム）などが挙げられる。
前記軟包袋２を形成する柔軟なシートの厚みは、特に限定されないが、通常、３０μｍ〜１００μｍ程度である。
【００１５】
軟包袋２は、前記柔軟なシートを袋状に形成したものである。軟包袋２の形状は、上面部３及び一対の側面部４，４を有していれば特に限定されないが、例えば、軟包袋２の外形は、内部に収納空間を有する略直方体状に形成されている。
具体的には、軟包袋２は、平面視略矩形状に形成された前記柔軟なシートにて被包装物６の周囲を包み、そのシートの側端部を互いに重ね合せて接着（例えば、熱シールなど）して接合部２１を形成することによって筒状シートを形成すると共に、その筒状シートの２つの筒口端部をそれぞれ扁平にして接着（例えば、熱シールなど）して接合部２２を形成することにより、密封袋状に形成されている。このような軟包袋２は、いわゆる背貼りタイプのピロー包装袋の形態である。また、図示例の軟包袋２は、前記２つの筒口端部を扁平にする際に、一部を内側に折り込んだ上で接合部２２を形成したものである（図１を参照）。このような形態は、いわゆるガゼットタイプのピロー包装袋の形態である。
なお、軟包袋２は、図示例のようなガゼットタイプのピロー包装袋の形態に限られず、ガゼットを有さないタイプのピロー包装袋でもよい（図示せず）。また、１枚の柔軟なシートを袋状に形成した軟包袋２を例示したが、軟包袋２は、２枚以上の柔軟なシートを適宜接着することによって袋状に形成されているものでもよく、このような軟包袋２としては、例えば、いわゆるパウチ包装袋のような形態が挙げられる（図示せず）。
【００１６】
軟包袋２は、例えば、厚み方向に向かい合って配置された上面部３及び下面部５１と、横方向に向かい合って配置された一対の側面部４，４（第１側面部４及び第２側面部４）と、縦方向に向かい合って配置された一対の塞面部５２，５２と、を有する。上面部３と下面部５１は、略同形同大であり、第１側面部４と第２側面部４も、略同形同大である。
上面部３、下面部５１及び一対の側面部４，４は、略平坦状であり、一対の塞面部５２，５２は、厚み方向中央部に横方向に延びる接合部２２を有し且つこの接合部２２が外側に突出しているので、外側に膨らんだ弧状面又は略くの字面となっている。なお、軟包袋２は柔軟なシートからなるので、略平坦状の上面部３などは、厳密な意味で平坦ではなく、概念上、略平坦という意味である。
上面部３と第１及び第２側面部４とは、稜線２８を介して略直交状に配置されている。下面部５１と第１及び第２側面部４，４も同様に稜線２８を介して略直交状に配置されている。稜線２８は、設計上、上面部３と第１及び第２側面部４とのそれぞれの境界、下面部５１と第１及び第２側面部４，４とのそれぞれの境界を成す。
ただし、図示例のようなピロー包装袋の形態の柔軟な軟包袋２においては、通常、上面部３と第１及び第２側面部４，４並びに下面部５１と第１及び第２側面部４，４は、弧状を描いて折れ曲がって連続している。このため、前記稜線２８は、明確な線で現れない。そのような場合には、前記稜線２８は、上面部３と側面部４の間で折れ曲がった箇所の中央部及び下面部５１と側面部４の間で折れ曲がった箇所の中央部を意味する。
【００１７】
上面部３及び下面部５１の横長及び縦長は、特に限定されず、被包装物６に応じて適宜設定できる。例えば、被包装物６として枚葉品６１を収納する場合には、上面部３及び下面部５１の各横長は、５０ｍｍ〜２５０ｍｍであり、上面部３及び下面部５１の各縦長は、１００ｍｍ〜３００ｍｍである。また、第１及び第２側面部４，４の高さは、特に限定されないが、その高さが余りに小さい軟包袋２には本発明を適用する意義が相対的に低くなる。かかる観点から、第１及び第２側面部４，４の各高さは、例えば、１０ｍｍ以上であり、好ましくは１５ｍｍ以上である。なお、第１及び第２側面部４，４の高さの上限は特にないが、実際の製品を考慮すると、第１及び第２側面部４，４の各高さは、例えば、１００ｍｍ以下である。
なお、本明細書において、「横長」は、横方向における長さをいい、横方向における長さが１つの値に定まらない場合には、前記「横長」は、横方向における最大の長さに相当する。「縦長」は、縦方向における長さをいい、縦方向における長さが１つの値に定まらない場合には、前記「縦長」は、縦方向における最大の長さに相当する。「高さ」は、厚み方向における長さをいい、厚み方向における長さが１つの値に定まらない場合には、前記「高さ」は、厚み方向における最大の長さに相当する。
【００１８】
上面部３には、収納した被包装物６を取り出すための取出し口３１が形成されている。
取出し口３１は、上面部３の面内に形成された開口でもよい。図示例では、上面部３に平面視環状の切込み線３２を形成することにより、その切込み線３２で囲われた部分が取出し口３１とされている。
図７は、包装体１の蓋シートを開いた状態を示す斜視図である。図７を参照して、蓋シート７１を開くと、上面部３のうち切込み線３２で囲われた部分３３が蓋シート７１と共に上面部３から取り外されるので、その部分に取出し口３１が生じるようになる。
前記切込み線３２は、柔軟なシートの厚み方向に貫通した線である。前記平面視環状の切込み線３２は、実質的に端部のない無端状の切込み線である。取出し口３１を形成する前記環状の切込み線３２は、図示したような平面視略楕円形状のほか、平面視略円形状、平面視略矩形状、平面視略三角形状、その他の任意の形状に形成できる。なお、取出し口３１を形成する切込み線３２は、無端状に限られず、例えば、平面視略Ｕ字状などの平面視有端非直線状であってもよい。
また、切込み線３２に代えて、ミシン目線（ミシン目線は、貫通孔と非貫通部が交互に並んで構成された線をいう）及び／又はハーフカット線（ハーフカット線は、厚み方向に貫通しないが、シートの厚み方向に断面視略Ｖ字状に刻まれた刻み線をいう）を用いてもよい。蓋シート７１を開いたときに、ミシン目線又はハーフカット線で囲われた部分が蓋シート７１に引っ張られてミシン目線又はハーフカット線に沿って上面部３の一部分が切断されるので、ミシン目線又はハーフカット線で囲われた部分に取出し口３１が生じるようになる。
【００１９】
＜上面保形シート＞
上面保形シート７は、前記取出し口３１を覆うように前記上面部３に貼り付けられている。
上面保形シート７は、柔軟な蓋シート７１を含んでいる。蓋シート７１は、取出し口３１を開閉するために取出し口３１を覆うシートである。
上面保形シート７は、蓋シート７１のみから構成されていてもよいが、本実施形態では、蓋シート７１と、前記蓋シート７１とは別個独立したベースシート７２と、から構成されている。
蓋シート７１及びベースシート７２の形状は、特に限定されず、図示例では平面視略矩形状に形成されている。蓋シート７１及びベースシート７２は、いずれも上面部３よりも小面積とされ、少なくとも蓋シート７１の横長及びベースシート７２の横長は、上面部３の横長よりも小さい。また、蓋シート７１の縦長及びベースシート７２の縦長は、上面部３の縦長と同じでもよいが、通常、上面部３の縦長よりも小さい。蓋シート７１及びベースシート７２は、同形同大でもよいが、図示例では、蓋シート７１は、ベースシート７２よりも小面積とされている。
【００２０】
また、ベースシート７２の面内には、前記取出し口３１の全部を塞がないように、開口部７２１が形成されている。前記開口部７２１は、取出し口３１と略同形同大でもよく、或いは、取出し口３１よりも大面積であってもよい。図示例では、ベースシート７２の面内には、取出し口３１と相似形で且つ取出し口３１よりも大面積の開口部７２１が形成されている。
蓋シート７１は、前記開口部７２１を覆うようにベースシート７２の外面に剥離可能に貼り付けられている。ベースシート７２は、前記開口部７２１が取出し口３１に対応するような位置において上面部３の外面に剥離困難又は剥離不能に貼り付けられている。なお、ベースシート７２についても上面部３に剥離可能な状態で貼り付けられていてもよいが、蓋シート７１を開ける際に、誤ってベースシート７２が剥がれることを防止するため、ベースシート７２は上面部３に剥離困難又は剥離不能に貼り付けられていることが好ましい。
なお、開口部７２１に代えて、ベースシート７２の面内に、平面視略Ｕ字状などの平面視有端非直線状の切込み線を形成してもよい（図示せず）。この場合、ベースシート７２のうち前記切込み線で囲われた部分の外面を蓋シート７１の内面に接着し且つベースシート７２のうち前記切込み線で囲われた部分の内面を前記上面部３のうち切込み線３２で囲われた部分の外面に接着しておく。このようにすれば、蓋シート７１を開くと、ベースシート７２のうち切込み線で囲われた部分及び上面部３のうち切込み線３２で囲われた部分が、蓋シート７１と共に、ベースシート７２及び上面部３から取り外されるので、その部分に取出し口３１が生じるようになる。
【００２１】
具体的には、蓋シート７１の内面には、粘着剤からなる粘着面（図示せず）が設けられており、蓋シート７１は、その粘着面を介してベースシート７２の外面に剥離可能に貼り付けられている。
なお、蓋シート７１の一方端部（例えば、縦方向における一方側の端部）は、部分的に延設されており（例えば、平面視略三角形状の部分が延設されている）、その部分の内面は、粘着面とされていない。この部分は、蓋シート７１を開ける際の摘まみ部７１１となる。粘着面が裏面に露出していない前記摘まみ部７１１は、ベースシート７２及び上面部３に非接着な状態で離れている。
蓋シート７１の他方端部（例えば、前記一方側の端部とは縦方向において反対側の端部）には、蓋シート７１の全部が剥離できないようにするため、剥離止め用切込み線７１９が形成されている。この剥離止め用切込み線７１９は、例えば、蓋シート７１の横方向両側にそれぞれ形成されている。
【００２２】
前記蓋シート７１は、内面において露出した前記粘着面を介してベースシート７２の外面に剥離可能で且つ剥離後再貼付可能な状態で貼り付けられている。面積の小さい蓋シート７１は、例えば、摘まみ部７１１を除いて、ベースシート７２の周縁に重ならず且つ開口部７２１の全体を被覆するように、ベースシート７２の面内中央領域に貼り付けられている。もっとも、蓋シート７１の一部（摘まみ部７１１を除く）が、ベースシート７２の周縁のうち一部の縁に重なるような位置において、蓋シート７１がベースシート７２に貼り付けられていてもよい。
なお、図示例では、摘まみ部７１１をベースシート７２の一方の横縁からはみ出させて蓋シート７１が貼り付けられており、この場合、摘まみ部７１１と上面部３の間に、ベースシート７２の厚み相当分の隙間が生じるので、摘まみ部７１１を指先で摘まみ易くなる。
【００２３】
他方、蓋シート７１が貼り付けられたベースシート７２は、粘着面又は接着剤を介して軟包袋２の上面部３の外面に剥離困難又は剥離不能に貼り付けられている。ベースシート７２によって取出し口３１が塞がれないようにするため、ベースシート７２は、開口部７２１が取出し口３１に対応するように位置合わせして上面部３の外面に貼り付けられている。
また、ベースシート７２は、その向かい合う一対の縦縁が（稜線２８に重ならずに）稜線２８から離れるようにして上面部３に貼り付けられている。
なお、蓋シート７１は少なくともベースシート７２の一対の縦縁に重ならないように貼り付けられているので、ベースシート７２の縦縁が、蓋シート７１とベースシート７２から構成される上面保形シート７の縦縁７ａに相当する。よって、上面保形シート７の一対の縦縁７ａ，７ａは、それぞれ稜線２８から離れている。
【００２４】
ここで、本明細書において、「粘着面」は、公知の粘着剤を塗布した粘着剤層の表面（露出面）をいう。粘着剤としては、感圧型粘着剤、感熱粘着剤などが挙げられ、好ましくは、感圧型粘着剤が用いられる。粘着面（粘着剤）は、室温下で被着体に接着する粘着性を有し、その粘着性が長期間持続している。かかる粘着面は、被着体から引き剥がした後も粘着性を有し、再度、被着体に貼り付けることができる（つまり、粘着面は再貼付可能な面である）。また、粘着面の被着体に対する接着強度は、粘着剤の種類及び被着体のぬれ性などに依存しており、従って、これらを適宜設定することにより、粘着面を被着体に対して剥離可能な状態で貼り付けることもできれば、粘着面を被着体に対して剥離困難に貼り付けることもできる。
上述のように、蓋シート７１は、粘着面を介して被着体であるベースシート７２に剥離可能に貼り付けられている。他方、ベースシート７２は、粘着面を介して被着体である上面部３に剥離困難（又は剥離不能）に貼り付けられ、或いは、接着剤を介して上面部３に剥離不能（又は剥離困難）に貼り付けられている。
前記剥離可能は、人力で容易に剥離できることをいう。前記剥離困難は、人力で剥離することが可能であるが、非常に強い力で引っ張らないと剥離できないことをいい、剥離不能は、人力で剥離できない又は剥離しようとすると材料破壊を生じることをいう。
【００２５】
蓋シート７１は、柔軟なシートから形成されていてもよく、或いは、可撓性を有するシートから形成されていてもよい。
ベースシート７２は、柔軟なシートから形成されていてもよく、或いは、可撓性を有するシートから形成されていてもよい。
前記柔軟なシートは、上記＜軟包袋＞に記載の通り、人力で簡単に湾曲させることができるシートをいう。前記可撓性を有するシート（以下、可撓シートという）は、人力で簡単に湾曲させることができるが、柔軟なシートよりも剛性の高いシートをいう。従って、蓋シート７１が柔軟なシートから形成されていても或いは可撓シートから形成されていても、何れの場合でも、蓋シート７１は柔軟である。
本明細書において、柔軟なシートと可撓シートの剛性の程度差は、自重による湾曲の有無によって規定することもできる。
前記自重による湾曲は、例えば、幅×長さ＝１０ｍｍ×５０ｍｍに切り取ってサンプル片を得、このサンプル片の長さ方向端部のみをチャックに固定し（チャック固定部分の長さは１０ｍｍ）且つ残部をフリー状態とし（残部の長さは４０ｍｍ）、標準状態下で、３０秒間静置し、前記残部が自重によって湾曲するか否かの試験を行う。試験対象であるシートを前記サンプル片に切り取り、前記試験に従って湾曲した場合には、そのシートは、柔軟なシートと評価するものとし、実質的に湾曲しなかった場合には、そのシートは、可撓シートと評価するものとする。
【００２６】
ベースシート７２は、上面部３を保形すると共に（上面部３の平坦性を保持すると共に）、蓋シート７１を再貼付し易くすることを主たる目的とするため、可撓シートから形成されていることが好ましい。
【００２７】
蓋シート７１とベースシート７２は、同じシートから形成されていてもよく、異なるシートから形成されていてもよいが、両シートは、異なるシートから形成されていることが好ましい。同じシートは、材質及び厚みが同じという意味であり、異なるシートは、材質及び厚みの少なくとも一方が異なるという意味である。
蓋シート７１及びベースシート７２として、何れも可撓シートが用いられる場合、両シート７１，７２は同程度の剛性を有する可撓シートを用いてもよいが、開封時に剥離される蓋シート７１は、ベースシート７２を構成する可撓シートよりも剛性の低い可撓シートであることが好ましい。
【００２８】
蓋シート７１の材質は、特に限定されず、従来公知のものを用いることができ、例えば、１層の合成樹脂シート、２層以上の合成樹脂シートが積層された積層シート、又は、１層若しくは２層以上の合成樹脂シートと金属蒸着膜或いは不織布などの非合成樹脂シートが積層された積層シートなどを用いることができる。蓋シート７１は、取出し口３１を閉塞することを主たる目的とするため、ガスバリア性を有するシートを含んでいることが好ましく、例えば、ガスバリア性を有するシートと非ガスガリア性のシートとを有する積層シートを用いることができる。また、蓋シート７１は、形状保持シートを含んでいてもよい。
蓋シート７１の厚みは、特に限定されず、例えば、３０μｍ〜１００μｍ程度である。
【００２９】
ベースシート７２の材質は、特に限定されず、従来公知のものを用いることができ、例えば、１層の合成樹脂シート、２層以上の合成樹脂シートが積層された積層シート、又は、１層若しくは２層以上の合成樹脂シートと金属蒸着膜或いは不織布などの非合成樹脂シートが積層された積層シートなどを用いることができる。ベースシート７２は、上面部３を保形すると共に蓋シート７１を再貼付し易くすることを主たる目的とするため、剛性に優れたシートを用いることが好ましく、例えば、ポリエチレンテレフタレートなどのポリエステル系フィルムやポリアミド系フィルムなどを用いることができる。
ベースシート７２の厚みは、特に限定されず、例えば、４０μｍ〜１２０μｍ程度である。好ましくは、ベースシート７２の厚みは、蓋シート７１の厚みよりも大きい。
【００３０】
蓋シート７１及びベースシート７２は、それぞれ独立して、デザインを表した印刷層、表面保護層などの任意の機能層が必要に応じて設けられていてもよい。
また、蓋シート７１及びベースシート７２は、それぞれ独立して、透明（有色透明又は無色透明）であってもよい。
取出し口３１を覆う蓋シート７１は、軟包袋２の内部を透視できないようにするため、デザインを表した有色印刷層や無模様の有色印刷層が設けられていることが好ましく、上面部３に貼り付けられるベースシート７２は、上面部３のデザインを透視できるようにするため、透明（好ましくは無色透明）であることが好ましい。
【００３１】
＜側面保形シート＞
側面保形シート８は、軟包袋２の側面部４に貼り付けられている。側面保形シート８は、第１側面部４及び第２側面部４のそれぞれに貼り付けられ、好ましくは、第１側面部４及び第２側面部４のそれぞれに互いに対称的に貼り付けられている。以下、第１側面部４に貼り付けられた側面保形シート８を「第１側面保形シート８」、第２側面部４に貼り付けられた側面保形シート８を「第２側面保形シート８」、両者を総称して「側面保形シート８」という。
側面保形シート８は、前記上面保形シート７とは独立したシートである。
側面保形シート８は、可撓シートから形成されていることが好ましい。前記可撓シートの意味は、上記＜上面保形シート＞に記載の通りである。側面保形シート８は、側面部４を保形する（側面部４の平坦性を保持する）ことを主たる目的とするため、可撓シートから形成されていることが好ましい。
側面保形シート８は、ベースシート７２と同じシートから形成されていてもよく、異なるシートから形成されていてもよい。特に、側面保形シート８は、（上面保形シート７が可撓シートから構成される場合）上面保形シート７を構成する可撓シートよりも剛性の高い可撓シートから形成されていることが好ましい。
【００３２】
側面保形シート８の材質は、特に限定されず、従来公知のものを用いることができ、例えば、１層の合成樹脂シート、２層以上の合成樹脂シートが積層された積層シート、又は、１層若しくは２層以上の合成樹脂シートと金属蒸着膜或いは不織布などの非合成樹脂シートが積層された積層シートなどを用いることができる。側面保形シート８は、例えば、ポリエチレンテレフタレートなどのポリエステル系シートやポリアミド系シートなどを用いることができる。
側面保形シート８の厚みは、特に限定されず、例えば、４０μｍ〜２００μｍ程度である。好ましくは、側面保形シート８の厚みは、蓋シート７１及びベースシート７２の何れの厚みよりも大きい。
【００３３】
第１及び第２側面保形シート８，８の形状は、特に限定されず、それぞれ独立して、例えば、図示例のような側面視略台形状の他、側面視略略矩形状、側面視略三角形状、その他の任意の形状に形成してもよい。なお、第１及び第２側面保形シート８，８の角部は、面取りされていてもよい。
側面視略台形状の側面保形シート８は、平行な一対の縦縁のうち長辺側の縦縁を上面部３側に向けて側面部４に貼り付けられていてもよく、或いは、平行な一対の縦縁のうち短辺側の縦縁を上面部３側に向けて側面部４に貼り付けられていてもよい。図示例では、側面視略台形状の第１及び第２側面保形シート８，８は、長辺側の縦縁８ａを上面部３側に向けて第１及び第２側面部４，４に貼り付けられている。このように貼り付けられた側面保形シート８は、上面部３側における縦長が下面部５１側の縦長よりも大きい。このため、被包装物６の残量が減り且つ上面保形シート７を被包装物６側に押しつけた際に、軟包袋２が良好に変形し（軟包袋２を構成するフィルムの塞面部５２，５２側への動きがスムーズになる結果、軟包袋２が良好に変形する）、上面部３の平坦性が保たれ易くなるという効果を有する。
【００３４】
側面保形シート８の面内には、縦方向に延びる折り罫線８１が形成されている。折り罫線８１は、その線に沿って側面保形シート８を２つに折り曲げ易くするために設けられている。
折り罫線８１としては、ミシン目線、ハーフカット線、押し線などが挙げられる。図示例では、折り罫線８１としてミシン目線が用いられた場合を表している。
前記ミシン目線は、断続的に形成された複数の貫通孔からなる。従って、複数の貫通孔からなるミシン目線は、隣接する貫通孔の間に非貫通部（不切り部）が存在している。つまり、ミシン目線は、貫通孔と非貫通部が交互に並んで構成された線である。１つの貫通孔の形状は、一般的には、略円形状又は直線状であり、好ましくは、直線状である。１つの貫通孔の長さは、特に限定されないが、例えば、０．３ｍｍ〜１．５ｍｍであり、好ましくは、０．５ｍｍ以上１．５ｍｍ未満であり、１つの非貫通部の長さは、特に限定されないが、例えば、０．３ｍｍ〜１．５ｍｍである。
ハーフカット線は、シートの厚み方向に完全に貫通せず、シートの厚み方向に断面視略Ｖ字状に刻んだ刻み線である。
前記押し線は、シート材を厚み方向に押し込んだ線である。
折り罫線８１は、側面保形シート８の一方の縦縁８ａ（縦方向に延びる縁）と平行な直線状に形成されていてもよく、或いは、その縦縁８ａに対して少し傾斜した直線状に形成されていてもよい。好ましくは、折り罫線８１は、側面保形シート８の一方の縦縁８ａと平行な直線状に形成される。
【００３５】
側面保形シート８は、側面部４よりも小面積とされ、少なくとも側面保形シート８の高さは、側面部４の高さよりも小さい。また、側面保形シート８の縦長は、側面部４の縦長と同じでもよいが、通常、側面部４の縦長よりも小さい。
第１及び第２側面保形シート８，８は、一方の縦縁８ａが（稜線２８に重ならずに）稜線２８から離れるようにして第１及び第２側面部４，４に貼り付けられている。また、第１及び第２側面保形シート８，８は、他方の縦縁８ｂが稜線２８に重なるようにして第１及び第２側面部４，４に貼り付けられていてもよく、或いは、図示例のように、他方の縦縁８ｂが稜線２８から離れるようにして第１及び第２側面部４，４に貼り付けられていてもよい。
第１及び第２側面保形シート８，８は、粘着面又は接着剤を介して、第１及び第２側面部４，４の外面に剥離困難又は剥離不能に貼り付けられている。なお、第１及び第２側面保形シート８，８は、それぞれ独立して、第１及び第２側面部４，４に剥離可能な状態で貼り付けられていてもよいが、不用意に側面保形シート８が剥離することを防止するため、第１及び第２側面保形シート８，８は第１及び第２側面部４，４に剥離困難又は剥離不能に貼り付けられていることが好ましい。
【００３６】
側面保形シート８は、デザインを表した印刷層、表面保護層などの任意の機能層が必要に応じて設けられていてもよい。
また、側面保形シート８は、透明（有色透明又は無色透明）であってもよい。
側面保形シート８は、側面部４のデザインを透視できるようにするため、透明（好ましくは無色透明）であることが好ましい。
【００３７】
軟包袋２の上面部３及び一対の側面部４，４に、稜線２８から離れて上面保形シート７及び一対の側面保形シート８，８が貼り付けられているので、上面保形シート７の縦縁７ａと側面保形シート８の縦縁８ａの間に、前記軟包袋２を形成するシートからなる領域２９が確保されている。つまり、上面保形シート７の縦縁７ａと第１側面保形シート８の一方の縦縁８ａの間には、稜線２８を含んで柔軟なシート（軟包袋２を形成するシート）のみからなる領域２９を有し、上面保形シート７の縦縁７ａと第２側面保形シート８の一方の縦縁８ａの間には、稜線２８を含んで柔軟なシート（軟包袋２を形成するシート）のみからなる領域２９を有する。以下、前記領域を「袋シート領域２９」という。
【００３８】
＜各部材の好ましい配置＞
図８は、上面保形シート７及び一対の側面保形シート８，８が所定位置に貼り付けられた柔軟なシートの平面図である。
この柔軟なシートにて被包装物６の周囲を包み、縦方向に延びる一対の側端部を互いに重ね合せて接着して接合部２１を形成し、且つ、横方向に延びる端部をそれぞれ扁平にして接着して接合部２２を形成することにより、図１乃至図７に示すような包装体１が得られる。
図８の一点鎖線は、包装体１（軟包袋２）を形成したときの、上面部３と側面部４との設計上の境界、及び、下面部５１と側面部４の設計上の境界をそれぞれ表し、これらの境界は、軟包袋２の４つの稜線２８となる。図８の二点鎖線は、包装体１（軟包袋２）を形成したときの、上面部３、下面部５１及び一対の側面部４，４と塞面部５２との設計上の境界を表す。
【００３９】
図８を参照して、側面部４の横長Ａと側面保形シート８の横長Ｋの関係は、０＜Ｋ＜Ａであり、好ましくは、１／３×Ａ≦Ｋ≦Ａであり、より好ましくは、１／３×Ａ≦Ｋ≦２／３×Ａである。
上面部３の横長Ｂと上面保形シート７の横長Ｌの関係は、１／２×Ｂ≦Ｌ＜Ｂであり、好ましくは、３／４×Ｂ≦Ｌ≦９／１０×Ｂである。
袋シート領域２９の横長Ｃ（上面保形シート７の縦縁７ａと側面保形シート８の一方の縦縁８ａとの間の長さ）は、上面保形シート７を被包装物６側に押しつけた際の上面部３の沈み込み量に関連しており、この横長Ｃが大きいほど上面部３を大きく沈み込ませることができるが、この横長Ｃが大き過ぎると、上面保形シート７の横長Ｌ又は側面保形シート８の横長Ｋが相対的に小さくなる。かかる観点を考慮して、袋シート領域２９の横長Ｃは、適宜設定される。折り罫線８１の上方部分の横長Ｍ（折り罫線８１の上方部分の横長は、側面保形シート８の一方の縦縁８ａと折り罫線８１との間の長さ）も、上面保形シート７を被包装物６側に押しつけた際の上面部３の沈み込み量に関連しており、折り罫線８１の上方部分の横長Ｍも適宜設定される。
例えば、袋シート領域２９の横長Ｃは、１０ｍｍ〜３０ｍｍ程度である。また、袋シート領域２９の横長Ｃと折り罫線８１の上方部分の横長Ｍの関係は、例えば、１／２×Ｍ≦Ｃ≦２×Ｍである。
上面部３の縦長Ｅと上面保形シート７の縦長Ｐの関係は、１／２×Ｅ≦Ｐ＜Ｅであり、好ましくは、２／３×Ｅ≦Ｐ≦９／１０×Ｅである。
上面部３の縦長Ｅと側面保形シート８の縦長Ｑの関係は、１／２×Ｅ≦Ｑ＜Ｅであり、好ましくは、２／３×Ｅ≦Ｑ≦９／１０×Ｅである。
なお、図８のように柔軟なシートを展開したときの側面部４の横長Ａ、側面保形シート８の横長Ｋ、折り罫線８１の上方部分の横長Ｍは、そのシートを軟包袋２に形成した際には、Ａが側面部４の高さ、Ｋが側面保形シート８の高さ、Ｍが折り罫線８１の上方部分の高さとなることに留意されたい。
【００４０】
＜包装体の使用＞
本発明の包装体１は、一対の側面部４，４にそれぞれ側面保形シート８が貼り付けられ且つ上面部３に上面保形シート７が貼り付けられているので、図１乃至図６に示すように、柔軟な軟包袋２の側面部４及び上面部３の平坦性を維持できる（軟包袋２の立体形状を維持できる）。
そして、図７に示すように、包装体１の蓋シート７１を開いて取出し口３１を開放することにより、その取出し口３１から被包装物６を取り出すことができる。例えば、ウェットシートなどの枚葉品６１の集合物からなる被包装物６については、取出し口３１から１枚又は複数枚の枚葉品６１を取り出した後、蓋シート７１を再封することにより、軟包袋２の密封性が保たれる。
【００４１】
図９に示すように、被包装物６の残量が減ってくると、上面部３と被包装物６の間に大きな空間２５が生じるので、蓋シート７１を開閉し難くなる（特に、蓋シート７１をぴったりと再び貼り付けることが困難となる）。
本発明の包装体１は、上面保形シート７とは独立した側面保形シート８が、袋シート領域２９を有した状態で側面部４に貼り付けられているので、図１０及び図１１に示すように、上面保形シート７を被包装物６側に押しつけると、袋シート領域２９が柔軟に変形して側面保形シート８の一方の端部８ａ付近で適宜折れ曲がり、上面保形シート７の付いた上面部３を被包装物６の上方部に沿わせることができる。この際、側面部４は側面保形シート８によって平坦状に保形されているので、上面部３の平坦性を保ったままで上面部３を被包装物６の上方部に沿わせることができる。このように変形させると、蓋シート７１が内側から被包装物６に支持されるので、被包装物６の残量が少なくなっても蓋シート７１を容易に開閉できる。また、上面部３を減量した被包装物６の上方部に沿わせるので、取出し口３１が被包装物６に接近し、残量が少なくなった被包装物６を容易に取り出すことができる。
【００４２】
さらに、側面保形シート８には、縦方向に延びる折り罫線８１が形成されているので、上述のように上面部３を被包装物６の上方部に沿わせた後、図１２に示すように、折り罫線８１において側面保形シート８の上方部分８２を被包装物６側に折り曲げることができる。このため、被包装物６の残量が少なくなった際に軟包袋２をコンパクトに折り畳むことができる。
また、袋シート領域２９の横長Ｃと折り罫線８１の上方部分の横長Ｍを適宜設定することにより、折り曲げた側面保形シート８の上方部分が蓋シート７１に重ならず、前記上方部分に邪魔されることなく蓋シート７１を容易に開閉できる。
【００４３】
以下、本発明の別の実施形態を説明するが、その説明に於いては、主として上述の実施形態と異なる構成及び効果について説明し、同様の構成などについては、用語又は符号をそのまま援用し、その構成の説明を省略する場合がある。
【００４４】
［第２実施形態］
第２実施形態は、蓋シート７１を含む上面保形シート７の様々な形態に関する。
上記実施形態の包装体１において、上面保形シート７は、蓋シート７１とベースシート７２からなるが、例えば、図１３及び図１４に示すように、上面保形シート７が蓋シート７１のみから構成されていてもよい。上面保形シート７が蓋シート７１のみからなる場合、その蓋シート７１の全体が粘着面を介して上面部３に直接的に剥離可能に貼り付けられる。図１３及び図１４に示す蓋シート７１（上面保形シート７）は、平面視所望形状に形成され且つ内面に粘着面が形成された可撓シート（又は柔軟なシート）の面内に、有端非直線状の切込み線７１２（例えば、略Ｕ字状又は略Ｖ字状などの切込み線７１２）を形成したものであり、その切込み線７１２で囲われた部分が取出し口３１を開閉する蓋として機能する。つまり、切込み線７１２で囲われた部分が、上面部３に対して剥離可能で且つ再貼付可能であり、切込み線７１２の外側の部分は、前記蓋として機能する部分の枠部７１３となっている。この場合、枠部７１３の縦縁が上面保形シート７の縦縁７ａに相当する。
図１５に示す包装体１も、上面保形シート７が蓋シート７１のみからなるが、図１３及び図１４のような枠部７１３を有さない点で異なっている。この場合、蓋シート７１の縦縁が上面保形シート７の縦縁７ａに相当する。
【００４５】
図１６に示す包装体１は、蓋シート７１に起立保持部７１５が具備されている。
具体的には、蓋シート７１の一方端部には、摘まみ部７１１が形成され、蓋シート７１の他方端部には、平面視有端非直線状の切込み線７１４が形成されている。この切込み線７１４は、蓋シート７１の他方端側に膨らんだ平面視有端非直線状に形成されている。つまり、この有端非直線状の切込み線７１４は、その両端部が一方端部側に配置され、その両端部間に形成される線が他方端部側に膨らんでいる。この切込み線７１４で囲われた部分が、起立保持部７１５である。また、必要に応じて、蓋シート７１の面内には、前記切込み線７１４の両端部から横方向外側に延びる折り罫線７１６が形成される。折り罫線７１６としては、ミシン目線、ハーフカット線、押し線などが挙げられる。
この蓋シート７１を摘まみ部７１１から剥離すると、起立保持部７１５を反転させることができる。反転した起立保持部７１５は、蓋シート７１が自然に元に戻ることを抑制するので、蓋シート７１の開封状態を保持できる。なお、開封した蓋シート７１を元に戻す場合には（蓋シート７１で取出し口３１を再封する場合には）、反転した起立保持部７１５を強制的に元に戻せばよい。
なお、図１６では、上面保形シート７は、起立保持部７１５が設けられている蓋シート７１のみからなるが、上面保形シート７が、起立保持部７１５が設けられている蓋シート７１とベースシート７２とを有していてもよい。
【００４６】
［第３実施形態］
第３実施形態は、軟包袋２の他の形態に関する。
上記各実施形態では、軟包袋２の一対の塞面部５２，５２は、接合部２２が外側に突出されているが、この接合部２２を塞面部５２の外面に密着するように折り畳んでもよい。
図１７乃至図１９は、接合部２２を折り畳んだ軟包袋２を有する包装体１を示す。
横方向に延びる接合部２２は、それぞれ塞面部５２の外面に密着するように折り曲げられている。折り曲げた接合部２２が元に戻らないようにするため、折り曲げた接合部２２は、感熱接着剤（例えばホットメルト接着剤）などの接着剤２２１を介して塞面部５２の外面に接着されている。
【００４７】
［第４実施形態］
第４実施形態は、側面保形シート８の様々な形態に関する。
上記各実施形態の包装体１において、側面保形シート８は、側面視略台形状であるが、例えば、図２０（ａ）に示すように、側面視略逆凸字状に形成されていてもよい。かかる形状の側面保形シート８も、上面部３側と下面部５１側との縦縁の長短を比べると、上面部３側における縦長が下面部５１側の縦長よりも大きいので、上記実施形態に記載したような効果を奏する。
さらに、同図（ｂ）に示すように、側面保形シート８は、側面視略矩形状であってもよい。
また、図２１（ａ）に示すように、側面保形シート８は、厚み方向中央部の縦長が上面部３側及び下面部５１側の縦長よりも大きい側面視形状であってもよく、或いは、同図（ｂ）に示すように、厚み方向中央部の縦長が上面部３側及び下面部５１側の縦長よりも小さい側面視形状であってもよい。
さらに、上記実施形態の包装体１において、側面保形シート８の面内に折り罫線８１が形成されているが、折り罫線８１が形成されていない側面保形シート８を用いてもよい。例えば、図２１（ｂ）に示す側面保形シート８は、折り罫線８１を有さない。
【００４８】
さらに、側面保形シート８の一部が延設され、その延設された部分が軟包袋２の塞面部５２に貼り付けられていてもよい。
図２２乃至図２４は、側面保形シート８の延設部分が軟包袋２の塞面部５２に貼り付けられている包装体１を示す。
側面保形シート８は、側方において一部分が延設されている。この延設された部分８４（延設部分８４）は、側面保形シート８の両側に形成されている。かかる側面保形シート８は、側面視略凸字状に形成されている。
前記延設部分８４は、折り罫線８１を基準にして、側面保形シート８の下方部分８３の側方から延設されている。従って、延設部分８４には、折り罫線が形成されていない。
延設部分８４は、軟包袋２の側面部４と塞面部５２の境界又はその付近で略直角状に折り曲げられ、軟包袋２の側面部４と塞面部５２に跨がって貼り付けられている。
好ましくは、図示のように、延設部分８４は、折り曲げた接合部２２に重なるようにして塞面部５２の外面に貼り付けられている。このように延設部分８４が折り曲げた接合部２２の外面と塞面部５２の外面に跨がって貼り付けられていることにより、折り曲げられた接合部２２が元に戻らないようになる。この場合、上記第３実施形態で説明した接着剤２２１を使用しなくてもよく、或いは、使用してもよい。
このように側面保形シート８の延設部分８４を塞面部５２に貼り付けることにより、軟包袋２の立体形状を安定的に保持できる。
【００４９】
［第５実施形態］
上記各実施形態では、接合部２２の形成された一対の塞面部５２が向かい合っている方向を縦方向とみなしたが、縦方向及び横方向は、概念上、包装体１を上方から下方に向かって見たときに互いに直交する方向であるので、接合部２２の形成された一対の塞面部５２が向かい合っている方向を横方向と観念することもできる。換言すると、上記各実施形態においては、側面部４に接合部を有さず、塞面部５２に接合部２２が形成されているが、側面部４に接合部２２が形成されていてもよい。この場合、接合部２２の形成された一対の側面部に側面保形シート８が貼り付けられる。
図２５及び図２６は、接合部２２の形成された面部であって横方向において向かい合った側面部４Ｘ，４Ｘに、側面保形シート８が貼り付けられた包装体１の一例を示す。この包装体１にあっては、縦方向において向かい合った塞面部５２Ｘ，５２Ｘには、接合部が形成されていない。
【００５０】
上記様々な実施形態及び変形例から選ばれる２つ以上の構成を適宜組み合わせてもよく、或いは、上記様々な実施形態及び変形例から選ばれる１つ又は２つ以上の構成を、それ以外の実施形態又は変形例に置換してもよい。例えば、第２実施形態で示した蓋シートを、第３実施形態の蓋シートに置換などしてもよい。
【符号の説明】
【００５１】
１  包装体
２  軟包袋
２９  軟包袋を形成するシートからなる領域
３  軟包袋の上面部
３１  取出し口
４，４Ｘ  軟包袋の側面部
６  被包装物
７  上面保形シート
７ａ  上面保形シートの縦縁
７１  蓋シート
８  側面保形シート
８ａ  側面保形シートの縦縁
８１  折り罫線
【図１】
2020114749.tif 000003
【図２】
2020114749.tif 000004
【図３】
2020114749.tif 000005
【図４】
2020114749.tif 000006
【図５】
2020114749.tif 000007
【図６】
2020114749.tif 000008
【図７】
2020114749.tif 000009
【図８】
2020114749.tif 000010
【図９】
2020114749.tif 000011
【図１０】
2020114749.tif 000012
【図１１】
2020114749.tif 000013
【図１２】
2020114749.tif 000014
【図１３】
2020114749.tif 000015
【図１４】
2020114749.tif 000016
【図１５】
2020114749.tif 000017
【図１６】
2020114749.tif 000018
【図１７】
2020114749.tif 000019
【図１８】
2020114749.tif 000020
【図１９】
2020114749.tif 000021
【図２０】
2020114749.tif 000022
【図２１】
2020114749.tif 000023
【図２２】
2020114749.tif 000024
【図２３】
2020114749.tif 000025
【図２４】
2020114749.tif 000026
【図２５】
2020114749.tif 000027
【図２６】
2020114749.tif 000028